(57)【要約】【課題】  従来に比して操作性に優れたドア用補助錠を提供する。【解決手段】  ロックアーム５は、ドア枠２側からドア１側に突出してドア１の内面に当接することによりドア１の開放を阻止する施錠位置とドア枠２側に退避してドア１の開閉動作を許容する解錠位置との間を移動する。解錠位置は施錠位置からドア１と垂直な方向にも離間しており、ロックアーム５は長孔６に案内されることで解錠位置から施錠位置まで移動する。ロックアーム５にドア１と平行な押圧力が作用した場合にはロックアーム５は長孔６に案内されて施錠位置と解錠位置との間を移動し、施錠位置においてロックアーム５にドア１と垂直な押圧力が作用した場合にはロックアーム５は長孔６によってその移動が阻止される。【選択図】  図２
2005179918.tif 000002
【特許請求の範囲】
【請求項１】
ドア枠側からドア側に突出してドアの内面に当接することによりドアの開放を阻止する施錠位置とドア枠側に退避してドアの開閉動作を許容する解錠位置との間を移動するロックアームと、該ロックアームを解錠位置から施錠位置まで案内するガイドレールとを備え、
ロックアームの解錠位置は施錠位置に対してドアと平行な方向とドアと垂直な方向の双方に離間した位置にあり、ロックアームにドアと平行な押圧力が作用した場合にはロックアームはガイドレールに案内されて解錠位置からドアと平行な方向に移動すると共にドアと垂直な方向にも移動して施錠位置においてドアの内面に当接し、施錠位置においてロックアームにドアと垂直な押圧力が作用した場合にはロックアームはガイドレールによってその移動が阻止されるように構成されていることを特徴とするドア用補助錠。
【請求項２】
ドア枠等の固定部材に取り付けられて前記ロックアームを支持するベースを備え、該ベースには、ドアと平行な方向に所定長さを有する長孔が設けられ、該長孔の内壁面をガイドレールとしてロックアームは移動する請求項１記載のドア用補助錠。
【請求項３】
ロックアームを施錠位置に保持すべく付勢する付勢手段が設けられている請求項２記載のドア用補助錠。
【請求項４】
付勢手段はその一端がロックアームを押圧し他端がベースに回転可能に支持された捻りバネであり、該捻りバネは、施錠位置においてはロックアームをドアと平行な方向に押圧してその位置に保持し且つ、ロックアームの解錠位置への移動により捻りバネはその他端を支点として回動して解錠位置においてはロックアームをガイドレールに押圧して摩擦力によりその位置に保持する請求項３記載のドア用補助錠。
【発明の詳細な説明】
【技術分野】
【０００１】
本発明は、ドアに設けられた主錠とは別に、ドアを内側から閉状態にロックするためのドア用補助錠に関する。
【背景技術】
【０００２】
この種の補助錠としては、ドア枠に回動可能に取り付けられて閉状態のドアの内面に当接することでドアを保持するロックアームを備えたものがある。例えば、下記特許文献１記載のものは、ロックアームをドアに接近させるように所定位置まで回動させた後、そのロックアームを横方向にスライドさせてロックアームの凸部を凹部に係合させ、この凹凸係合によりロックアームを施錠位置に係止する構成で、下記特許文献２記載のものは、同様に所定位置まで回動させた後に、ロックアームを上下方向にスライドさせてロックアームを凹部に係合させることによりロックアームを施錠位置に係止する構成である。
しかしながら、上記従来の何れの構成もロックアームを回動させた後にスライドさせることが必要である。即ち、回動操作とスライド操作という二つの操作が必要となる。
これに対して下記特許文献３記載の錠構造のように栓のスライド動作によってドアを係止することができるものもある。
【特許文献１】米国特許第５４８９１２９号明細書
【特許文献２】米国特許第２０６７７７９号明細書
【特許文献３】実公昭２９−７５９８号公報
【発明の開示】
【発明が解決しようとする課題】
【０００３】
しかしながらこの場合においては、栓をドアと平行に一直線にスライドさせるのみであるので、施錠位置における栓とドアとの間には隙間が発生することになり、その隙間によってドアが振動したりドアが栓に衝突してがたがたと衝突音が発生するという問題がある。
【０００４】
そこで本発明は、従来に比して操作性に優れると共に施錠状態においてドアの振動や騒音の発生を防止することのできるドア用補助錠を提供することを課題とする。
【課題を解決するための手段】
【０００５】
本発明は、上記課題を解決すべくなされたものであり、本発明に係るドア用補助錠は、ドア枠側からドア側に突出してドアの内面に当接することによりドアの開放を阻止する施錠位置とドア枠側に退避してドアの開閉動作を許容する解錠位置との間を移動するロックアームと、該ロックアームを解錠位置から施錠位置まで案内するガイドレールとを備え、ロックアームの解錠位置は施錠位置に対してドアと平行な方向とドアと垂直な方向の双方に離間した位置にあり、ロックアームにドアと平行な押圧力が作用した場合にはロックアームはガイドレールに案内されて解錠位置からドアと平行な方向に移動すると共にドアと垂直な方向にも移動して施錠位置においてドアの内面に当接し、施錠位置においてロックアームにドアと垂直な押圧力が作用した場合にはロックアームはガイドレールによってその移動が阻止されるように構成されていることを特徴とする。
【０００６】
該構成の補助錠にあっては、施錠位置においてロックアームはドアの内面に当接する。従って、施錠位置においてドアとロックアームとの間に隙間は生じることはなく、ロックアームはドアの内面に当接してドアを室内側から確実に閉状態に保持する。一方、ロックアームは、ドアと平行な押圧力を受けると、ガイドレールに案内されて解錠位置から施錠位置へ、また施錠位置から解錠位置へと移動する。解錠位置は施錠位置に対してドアと垂直な方向にも離間した位置にあるが、ガイドレールがロックアームを案内することでロックアームをドアと平行な方向のみならずドアと垂直な方向にも移動させて、解錠位置と施錠位置との間を移動させる。従って、ロックアームを直接あるいは他の部材を介して間接的に操作してロックアームにドアと平行な押圧力を付与することでロックアームを簡単に移動させることができる。そして、施錠位置においてドアを開こうとするとロックアームにはドアと垂直な押圧力が作用することになるが、ドアと垂直な押圧力が作用した場合にはロックアームはガイドレールによってその移動が阻止されるので、施錠位置に確実に保持されてドアの開放を阻止することとなる。
【０００７】
特に、ドア枠等の固定部材に取り付けられて前記ロックアームを支持するベースを備え、該ベースには、ドアと平行な方向に所定長さを有する長孔が設けられ、該長孔の内壁面をガイドレールとしてロックアームは移動するように構成することが好ましい。ドア枠等の固定部材に取り付けられるベースに長孔を形成することにより、ドア枠等の固定部材に直接長孔等を形成してロックアームを支持する構成とする必要がなくなり、既存のドア枠等の固定部材に簡単にドア用補助錠を取り付けて使用することができる。しかも、長孔を設ける構成であるので、製作も容易である。
【０００８】
また、ロックアームを施錠位置に保持すべく付勢する付勢手段が設けられていることが好ましい。付勢手段がロックアームを付勢することにより、仮にロックアームが振動等しても確実に施錠位置に位置し、従ってドアの開放を確実に阻止できる。
【０００９】
特に、付勢手段はその一端がロックアームを押圧し他端がベースに回転可能に支持された捻りバネであり、該捻りバネは、施錠位置においてはロックアームをドアと平行な方向に押圧してその位置に保持し且つ、ロックアームの解錠位置への移動により捻りバネはその他端を支点として回動して解錠位置においてはロックアームをガイドレールに押圧して摩擦力によりその位置に保持することが好ましい。捻りバネを使用すると共にその他端をベースに回転可能に設けてロックアームの移動に伴って捻りバネが回動するように構成することにより、この捻りバネで施錠位置と解錠位置の双方においてロックアームを保持することができる。捻りバネが回動することで一端で押圧する方向が変化するが、セキュリティの観点から解錠位置よりも施錠位置を優先するために、施錠位置においてはドアと平行な方向に押圧するように構成して保持効果を高め、解錠位置においては摩擦力を利用して保持する。
【発明の効果】
【００１０】
以上のように、ドアの振動や騒音をロックアームがドアの内面に当接することで防止し、しかも、施錠位置とそこからドアと垂直な方向にも離間した解錠位置との間においてガイドレールがロックアームを案内するので、ロックアームを直接あるいは他の部材を介して間接的にドアと平行な方向に押圧操作することで簡単にロックアームを施錠位置と解錠位置に移動させることができる。
【発明を実施するための最良の形態】
【００１１】
以下、本発明に係るドア用補助錠の一実施形態について図面を参酌しつつ説明する。
図１に示すように、本実施形態におけるドア用補助錠１００は、ドア１を内側（室内側）からロックするもので、ドア１の戸先側をロックすべく、その戸先側に面したドア枠２に取り付けられる。
【００１２】
具体的には、図２乃至図７に示すようにドア枠２（竪枠）にネジ３により取り付けられるベース４と、該ベース４に支持されてドア１の開放を阻止する施錠位置とドア１の開閉を許容する解錠位置との間を移動するロックアーム５とを備えている。
【００１３】
前記ベース４は、ドア枠２の側面２ａ即ちドア１の戸先側端面１ａに対向する面にネジ止めされる第一縦壁部４１と、該第一縦壁部４１の室内側の端部から水平方向略直角にドア１から離れるように側方（左側に）延設された第二縦壁部４２と、第二縦壁部４２の上端部と下端部からそれぞれ室内側に向けて略水平に延設された上壁部４３及び下壁部４４と、上下両壁部４３，４４の室内側の端部のうちドア１から離れた領域（左側の領域）同士を上下に連結する第三縦壁部４５とから構成される。尚、第二縦壁部４２はドア枠２に密着している。そして、第二縦壁部４２と第三縦壁部４５は互いに平行であり、上下両壁部４３，４４も互いに平行である。従って、第二縦壁部４２と上下両壁部４３，４４と第三縦壁部４５とから、ドア１と平行な方向の両端（左右両端）が開口した角筒状のロックアーム格納室が構成されている。尚、第三縦壁部４５は第二縦壁部４２に対してドア１から離れる方向、即ち左側に位置ずれして設けられており、従って、上下両壁部４３，４４の室内側の端部のうちのドア１に近い側の領域（右側の領域）は互いに連結されておらず室内側に開口している。
【００１４】
また、ロックアーム５は、ベース４に移動可能に支持されているが、ベース４にはロックアーム５を施錠位置と解錠位置との間を案内するガイドレールが設けられている。具体的には、ベース４の上下両壁部４３，４４には互いに対向するような位置関係でそれぞれ長孔６が形成されている。上下の長孔６は共に同一形状である。そして、この長孔６はドア１（ドア１の内面）と平行な方向に所定長さを有している。詳細には、長孔６は、ドア１から離れた左端（一端）からドア１に近い右端（他端）まで全長に亘ってドア１と平行な一直線状のものではなく、その中途部に傾斜状部６２を有するものである。即ち、その左端と右端にドア１と平行な第一及び第二直線状部６１，６３を有し、両直線状部６１，６３間に傾斜状部６２が設けられ、左側の第一直線状部６１は右側の第二直線状部６３よりも室内側に位置している。尚、右側の第二直線状部６３は左側の第一直線状部６１よりも短い。そして、このように形成された長孔６にロックアーム５の係合凸部５１，５２が係合している。
【００１５】
ロックアーム５は、施錠位置においてドア１の内面に当接する当接部５０をその右側端部（一側端部）に備えている。該当接部５０は他の部分とは異なる材質からなり具体的にはゴムやエラストマー等の弾性部材から構成されている。尚、ロックアーム５は図３に示すように縦長の縦断面形状を有しており、当接部５０も縦長である。そして、該ロックアーム５の上面と下面にそれぞれ前記係合凸部５１，５２が突設されている。上面と下面のそれぞれの係合凸部５１，５２は互いに対向し、上面と下面にはそれぞれ左右一対ずつ係合凸部５１，５２が設けられている。例えば上面の一対の係合凸部５１，５２同士は、ドア１と平行な方向に所定距離離間している。本実施形態において、ロックアーム５には該ロックアーム５を上下に貫通するようにして係合軸５３，５４が左右一対装着され、両係合軸５３，５４はロックアーム５の上面と下面から所定長さ突出し、係合軸５３，５４の上部突出部と下部突出部から係合凸部５１，５２が構成されている。即ち、係合凸部５１，５２は断面視円形である。尚、左側の係合軸５３はロックアーム５の左側端部近傍に位置し、右側の係合軸５４はロックアーム５の略中央部分に位置している。
【００１６】
そして、ロックアーム５は、長孔６の内壁面をガイドレールとしてその内壁面に係合凸部５１，５２が摺接しながら、図２及び図３に示すように当接部５０がドア枠２側からドア１側に突出してドア１の内面に当接する施錠位置から、図４及び図５に示すように当接部５０がドア枠２側に退避した位置であって且つドア１の内面から室内側に離反した位置である解錠位置まで、同一平面上を水平にスライドする。即ち、長孔６に傾斜状部６２が設けられているので、ロックアーム５は、長孔６の内壁面に案内されることで、ドア１と垂直な方向に移動しつつドア１と平行な方向に移動して施錠位置と解錠位置との間を移動する。例えば、ロックアーム５が解錠位置から施錠位置へと移行する際には、ロックアーム５が長孔６に誘導されることでその当接部５０はドア１に向けて突出すると共にドア１の内面に接近する。そのロックアーム５の移動の際、ロックアーム５には摘み部５５が設けられているので、操作する者は摘み部５５を把持して摘み部５５をドア１と平行に押圧することで容易にロックアーム５を操作することができる。
【００１７】
そして、施錠位置においては、図２に示すように、ロックアーム５の右側の係合凸部５２は長孔６の内壁面の右端に当接する。即ち、右側の係合凸部５２は右側の第二直線状部６３に位置する一方、左側の係合凸部５１は左側の第一直線状部６１に位置する。この施錠位置においてドア１からその垂直な方向に押圧力を受けてもロックアーム５は長孔６の内壁面によってその移動が阻止され、ロックアーム５はその位置に保持されてドア１の開放が阻止される。
【００１８】
逆に、解錠位置においては、図４に示すように、左側の係合凸部５１が長孔６の内壁面の左端に当接し、左右の係合凸部５１，５２が共に左側の第一直線状部６１に位置する。また、上述したように第二縦壁部４２と第三縦壁部４５と上下両壁部４３，４４とからロックアーム格納室が構成されているので、ロックアーム５は、解錠位置においてはその略全体がロックアーム格納室内に格納された状態となり、施錠位置においては右側略半分がロックアーム格納室から右側に突出した状態となる。尚、第三縦壁部４５には切欠４５０が設けられ、解錠位置においてその切欠４５０にロックアーム５の摘み部５５が係合する。尚、図７（イ）乃至（ハ）に解錠位置から施錠位置への軌跡を示しているが、図７（ロ）に示すように、右側の係合凸部５２が傾斜状部６２と右側の第二直線状部６３との境界部分に位置した時に当接部５０はドア１の内面に当接し始め、以降施錠位置まで当接部５０はドア１の内面への当接状態を維持する。尚、第二直線状部６３（係合凸部５２）から当接部５０までの寸法は、図７（ハ）に示す係合凸部５２が第二直線状部６３に位置した状態において、閉状態のドア１の内面と当接部５０との間に隙間が生じることのないように設定するか、あるいは当接部５０がドア１を押圧するように設定する。
【００１９】
また更にロックアーム５を施錠位置と解錠位置の各々に保持するために付勢手段としての捻りバネ７が設けられている。該捻りバネ７は、図４、図６及び図７に示すように、その一端７ａが右側の係合軸５４に回転可能に掛止され他端７ｂはベース４の上下両壁部４３，４４を連結する支軸８に回転可能に掛止されている。また、捻りバネ７のつるまき部７ｃは他の部材に固定されてはおらずフリーの状態にある。従って、図７に示すようにロックアーム５の移動に伴って捻りバネ７の一端７ａも移動することになるが、捻りバネ７は支軸８を支点として回動することでロックアーム５の移動に対応する。尚、図６のように、ロックアーム５の上下方向略中央部分には側方に開口する切欠が形成されてロックアーム５を貫通する右側の係合軸５４の中央部分が一部露出しており、その係合軸５４の露出部分に捻りバネ７の一端７ａが掛止されている。また、捻りバネ７は上下一対設けられ、上下一対の捻りバネ７は互いに上下対称に配置されている。尚、上下一対の捻りバネ７の一端７ａ同士が互いに繋がっていてもよい。
【００２０】
かかる捻りバネ７によるロックアーム５の保持の仕方は施錠位置と解錠位置で異なっている。施錠位置においては、図７（ハ）のように、捻りバネ７の一端７ａはつるまき部７ｃから室内側に向けて延びている。即ち、捻りバネ７の一端７ａは支軸８の中心よりドア１により近い位置にあってドア１に対して略垂直に延び、従って、捻りバネ７は施錠位置におけるロックアーム５をドア１と平行な方向に押圧し、右側の係合凸部５２を長孔６の右端に押圧付勢することでロックアーム５を施錠位置に保持する。一方、解錠位置においては、図７（イ）のように、捻りバネ７の一端７ａはドア１と略平行に延びる。即ち、捻りバネ７の一端７ａは長孔６の第一及び第二直線状部６１，６３と略平行になり、ロックアーム５をドア１と略垂直な方向である室内側に向けて押圧する。右側の係合凸部５２が捻りバネ７によって長孔６の内壁面に押圧されることで係合凸部５２と長孔６の内壁面との間の摩擦力が増大し、この摩擦力によってロックアーム５を解錠位置に保持する。このように同じ捻りバネ７でロックアーム５を施錠位置と解錠位置の双方に保持する構成としている。そして、セキュリティの観点から施錠位置側を重視して、施錠位置においてはロックアーム５をドア１と平行な方向に押圧付勢して高い保持特性を確保し、解錠位置においては押圧の方向がロックアーム５の移動の方向に対して直交する方向ではあるもののガイドレールとしての長孔６の内壁面との間の摩擦力を利用することによって効果的にロックアーム５を保持することができる。
【００２１】
以上のように本実施形態におけるドア用補助錠にあっては、室内側に突出した摘み部５５を把持してロックアーム５を左右にスライドさせるという簡単な操作でロックアーム５を施錠位置と解錠位置とに移動させることができる。しかも、施錠位置においてロックアーム５の当接部５０がドア１の内面に当接するので、ドア１と当接部５０との間に隙間は発生せず、その隙間が要因となって起こるドア１の振動や衝突音の発生を防止でき、ドア１を室内側から確実に閉状態に保持できる。その一方、解錠位置は施錠位置からドア１と垂直な方向にも所定距離離間している位置であるが、ロックアーム５が長孔６に誘導されるのでロックアーム５をドア１と平行に押圧するのみで施錠位置と解錠位置との間を移動させることができる。そして、左右の係合凸部５１，５２が長孔６に係合することで施錠位置においてドア１からロックアーム５にドア１と垂直な方向に押圧力が作用してもロックアーム５の移動は阻止されてドア１を確実にロックする。更に、捻りバネ７がロックアーム５を施錠位置に付勢しているので振動等が生じてもロックアーム５が施錠位置から解錠位置側に位置ずれすることも防止され、高いセキュリティが確保される。また、捻りバネ７は解錠位置においてもロックアーム５を押圧して摩擦力によってその位置に保持するので、振動等によってロックアーム５がドア１側に突出することが防止され、ロックアーム５がドア１の開閉動作の妨げになることもなく、ドア１がロックアーム５に衝突してドア１が損傷するということも防止される。更に、解錠位置においては、ロックアーム５は摘み部５５を除いてベース４のロックアーム格納室に格納されているので、特に上方、下方からの衝撃等に対してロックアーム５を確実に保護することができる。
【００２２】
尚、本実施形態では捻りバネ７を使用したが他の構成のバネ等、種々の付勢手段を使用することができる。
【００２３】
また、長孔６の形状も適宜設計変更可能であって、例えば、傾斜状部６２を複数設けることもでき、右側の第二直線状部６３は直線状でなくてもよい。また、左右の係合凸部５１，５２がそれぞれ別々の長孔６に係合するように長孔６を複数設けてもよい。更に、長孔６を形成する代わりに溝を形成してもよい。
【図面の簡単な説明】
【００２４】
【図１】本発明の一実施形態のドア用補助錠の取り付け状態を示す正面図。
【図２】同補助錠の施錠状態を示す平面図。
【図３】同補助錠の施錠状態を示す正面図。
【図４】同補助錠の解錠状態を示す平面図。
【図５】同補助錠の解錠状態を示す正面図。
【図６】図４のＡ−Ａ断面図。
【図７】同補助錠の解錠状態から施錠状態への軌跡を示し、（イ）は解除状態を示す断面図、（ロ）は解錠状態と解錠状態との中間点であってロックアームの当接部がドアに当接し始める点を示した断面図、（ハ）は施錠状態を示す断面図。
【符号の説明】
【００２５】
１…ドア、２…ドア枠、４…ベース、５…ロックアーム、６…長孔、７…捻りバネ、８…支軸、４１…第一縦壁部、４２…第二縦壁部、４３…上壁部、４４…下壁部、４５…第三縦壁部、５０…当接部、５１，５２…係合凸部、５３，５４…係合軸、５５…摘み部、６１，６３…直線状部、６２…傾斜状部、４５０…切欠
【図１】
2005179918.tif 000003
【図２】
2005179918.tif 000004
【図３】
2005179918.tif 000005
【図４】
2005179918.tif 000006
【図５】
2005179918.tif 000007
【図６】
2005179918.tif 000008
【図７】
2005179918.tif 000009